(57)【要約】【課題】電子ペーパーに表示されたデータが第三者に見られてしまうおそれを抑制して、機密漏洩を防止することができる画像形成装置等を提供する。【解決手段】電子ペーパー格納手段１７に格納された電子ペーパー１００にデータを書き込むときに、書き込み対象のデータの一部を欠損データとして欠損させた状態でデータを書き込む。また、書き込まれたデータ毎に、電子ペーパーとユーザと欠損データとを関連付けて記憶手段１８に記憶する。電子ペーパーにユーザが接触したときに、憶手段に記憶された欠損データの中に、特定された電子ペーパー及び特定されたユーザと関連付けられた欠損データが存在するかどうかを判断し、存在すると判断された場合には、その欠損データが電子ペーパーに書き込まれる。【選択図】  図１１
2014102644.tif 000002
【特許請求の範囲】
【請求項１】
電子ペーパーを格納する電子ペーパー格納手段と、
ユーザからの指示に基づいて、前記電子ペーパー格納手段に格納された電子ペーパーにデータを書き込むとともに、データの書き込みのときに、書き込み対象のデータの一部を欠損データとして欠損させた状態でデータを書き込む書き込み手段と、
前記書き込み手段により電子ペーパーに書き込まれたデータ毎に、電子ペーパーとユーザと前記欠損データとを関連付けて記憶する記憶手段と、
電子ぺーバーにユーザが接触したことを検出する接触検出手段と、
前記接触検出手段により接触が検出された電子ペーパーを特定する電子ペーパー特定手段と、
前記接触検出手段により電子ペーパーへの接触が検出されたとき、電子ペーパーへ接触したユーザが所有する記録媒体に格納されたユーザ情報を、該ユーザの人体を通じた通信を用いて取得することにより、電子ペーパーに接触したユーザを特定するユーザ特定手段と、
前記記憶手段に記憶された欠損データの中に、前記特定された電子ペーパー及び前記特定されたユーザと関連付けられた欠損データが存在するかどうかを判断する判断手段と、
を備え、
前記判断手段により欠損データが存在すると判断された場合には、前記書き込み手段は、前記欠損データを前記電子ペーパーに書き込むことを特徴とする画像形成装置。
【請求項２】
電子ペーパーを格納する電子ペーパー格納手段と、
ユーザからの指示に基づいて、前記電子ペーパー格納手段に格納された電子ペーパーにデータを書き込むとともに、データの書き込みのときに、書き込み対象のデータの一部を欠損データとして欠損させた状態でデータを書き込む書き込み手段と、
前記書き込み手段により電子ペーパーに書き込まれたデータ毎に、電子ペーパーとユーザと前記欠損データとを関連付けて記憶する記憶手段と、
電子ペーパーにユーザが接触したことを検出する接触検出手段と、
電子ペーパーが前記電子ペーパー格納手段から取り出されたことを検出する取り出し検出手段と、
前記取り出し検出手段により取り出されたことが検出されたときに、該電子ペーパーを電子ペーパー格納手段に戻すことを促す表示を行う表示手段と、
電子ペーパーが電子ペーパー格納手段に戻されたことを検出する再格納検出手段と、
ユーザが接触した電子ペーパーを特定する電子ペーパー特定手段と、
前記電子ペーパーへ接触したユーザが所有する記録媒体に格納されたユーザ情報を、該ユーザの人体を通じた通信を用いて取得することにより、電子ペーパーへ接触したユーザを特定するユーザ特定手段と、
前記記憶手段に記憶された欠損データの中に、前記特定された電子ペーパー及び前記特定されたユーザと関連付けられた欠損データが存在するかどうかを判断する判断手段と、
を備え、
前記判断手段により欠損データが存在すると判断された場合には、前記書き込み手段は、前記欠損データを前記電子ペーパーに書き込むことを特徴とする画像形成装置。
【請求項３】
電子ペーパーを格納する電子ペーパー格納手段と、
ユーザからの指示に基づいて、前記電子ペーパー格納手段に格納された電子ペーパーにデータを書き込むとともに、データの書き込みのときに、書き込み対象のデータの一部を欠損データとして欠損させた状態でデータを書き込む書き込み手段と、
前記書き込み手段により電子ペーパーに書き込まれたデータ毎に、電子ペーパーとユーザと前記欠損データとを関連付けて記憶する記憶手段と、
電子ペーパーが前記電子ペーパー格納手段から取り出されたことを検出する取り出し検出手段と、
前記取り出し検出手段により取り出されたことが検出されたときに、該電子ペーパーを保持したままの状態で自装置と接触することを促す表示を行う表示手段と、
前記電子ペーパーへ接触したユーザが所持する記録媒体に格納されたユーザ情報及び電子ペーパー情報を、該ユーザの人体を通じた通信を用いて取得することにより、電子ペーパー及びユーザを特定する特定手段と、
前記記憶手段に記憶された欠損データの中に、前記特定された電子ペーパー及び前記特定されたユーザと関連付けられた欠損データが存在するかどうかを判断する判断手段と、
を備え、
前記判断手段により欠損データが存在すると判断された場合には、前記書き込み手段は、前記欠損データと該欠損データを書き込む対象データの情報を人体通信を介してユーザが所持する前記記録媒体に書き込むとともに、書き込み開始の指示情報を前記記録媒体に書き込み、
書き込み開始の指示情報が前記記録媒体に書き込まれたのち、電子ペーパーは、前記欠損データを書き込むものとなされていることを特徴とする画像形成装置。
【請求項４】
前記欠損データは、ファイルのヘッダー部分、ファイルの最初から所定容量部分、ファイルの最後から所定容量部分、ファイルの予め決められている特定部分の少なくともいずれかである請求項１〜３のいずれかに記載の画像形成装置。
【請求項５】
前記ユーザの特定に際して、ユーザに対して自装置との人体通信を促す表示を自装置の表示手段に行う請求項１〜４のいずれかに記載の画像形成装置。
【請求項６】
前記欠損データと該欠損データを書き込む対象データの情報を人体通信を介してユーザが所有する前記記録媒体に書き込む際に、ユーザに対して自装置との人体通信を促す表示を自装置の表示手段に行う請求項３に記載の画像形成装置。
【請求項７】
前記電子ペーパーへの欠損データの書き込み中は、該電子ペーパーは書き込み中である旨の表示を行う請求項１〜６のいずれかに記載の画像形成装置。
【請求項８】
ユーザからの指示に基づいて、電子ペーパー格納手段に格納された電子ペーパーにデータを書き込むとともに、データの書き込みのときに、書き込み対象のデータの一部を欠損データとして欠損させた状態でデータを書き込むステップと、
前記電子ペーパーに書き込まれたデータ毎に、電子ペーパーとユーザと前記欠損データとを関連付けて記憶手段に記憶するステップと、
電子ペーパーにユーザが接触したことを検出する接触検出ステップと、
前記接触検出ステップにおいて接触が検出された電子ペーパーを特定する電子ペーパー特定ステップと、
前記接触検出ステップにおいて電子ペーパーへの接触が検出されたとき、電子ペーパーへ接触したユーザが所有する記録媒体に格納されたユーザ情報を、該ユーザの人体を通じた通信を用いて取得することにより、電子ペーパーに接触したユーザを特定するユーザ特定ステップと、
前記記憶手段に記憶された欠損データの中に、前記特定された電子ペーパー及び前記特定されたユーザと関連付けられた欠損データが存在するかどうかを判断する判断ステップと、
前記判断ステップにおいて欠損データが存在すると判断された場合には、前記欠損データを前記電子ペーパーに書き込むステップと、
を備えたことを特徴とする画像形成装置による電子ペーパー印刷方法。
【請求項９】
ユーザからの指示に基づいて、電子ペーパー格納手段に格納された電子ペーパーにデータを書き込むとともに、データの書き込みのときに、書き込み対象のデータの一部を欠損データとして欠損させた状態でデータを書き込むステップと、
前記電子ペーパーに書き込まれたデータ毎に、電子ペーパーとユーザと前記欠損データとを関連付けて記憶手段に記憶するステップと、
電子ペーパーにユーザが接触したことを検出する接触検出ステップと、
電子ペーパーが前記電子ペーパー格納手段から取り出されたことを検出する取り出し検出ステップと、
前記取り出し検出ステップにおいて取り出されたことが検出されたときに、該電子ペーパーを電子ペーパー格納手段に戻すことを促す表示を行う表示ステップと、
電子ペーパーが電子ペーパー格納手段に戻されたことを検出する再格納検出ステップと、
ユーザが接触した電子ペーパーを特定する電子ペーパー特定ステップと、
前記電子ペーパーへ接触したユーザが所有する記録媒体に格納されたユーザ情報を、該ユーザの人体を通じた通信を用いて取得することにより、電子ペーパーへ接触したユーザを特定するユーザ特定ステップと、
前記記憶手段に記憶された欠損データの中に、前記特定された電子ペーパー及び前記特定されたユーザと関連付けられた欠損データが存在するかどうかを判断する判断ステップと、
前記判断ステップにおいて欠損データが存在すると判断された場合には、前記欠損データを前記電子ペーパーに書き込むステップと、
を備えたことを特徴とする画像形成装置による電子ペーパー印刷方法。
【請求項１０】
ユーザからの指示に基づいて、電子ペーパー格納手段に格納された電子ペーパーにデータを書き込むとともに、データの書き込みのときに、書き込み対象のデータの一部を欠損データとして欠損させた状態でデータを書き込むステップと、
前記電子ペーパーに書き込まれたデータ毎に、電子ペーパーとユーザと前記欠損データとを関連付けて記憶手段に記憶するステップと、
電子ペーパーが前記電子ペーパー格納手段から取り出されたことを検出する取り出し検出ステップと、
前記取り出し検出ステップにおいて取り出されたことが検出されたときに、該電子ペーパーを保持したままの状態で自装置と接触することを促す表示を表示手段に行う表示ステップと、
前記電子ペーパーへ接触したユーザが所有する記録媒体に格納されたユーザ情報及び電子ペーパー情報を、該ユーザの人体を通じた通信を用いて取得することにより、電子ペーパー及びユーザを特定する特定ステップと、
前記記憶手段に記憶された欠損データの中に、前記特定された電子ペーパー及び前記特定されたユーザと関連付けられた欠損データが存在するかどうかを判断する判断ステップと、
前記判断ステップにおいて欠損データが存在すると判断された場合には、前記欠損データと該欠損データを書き込む対象データの情報を人体通信を介してユーザが所有する前記記録媒体に書き込むとともに、書き込み開始の指示情報を前記記録媒体に書き込むステップと、
を備え、
書き込み開始の指示情報が前記記録媒体に書き込まれたのち、前記電子ペーパーは、前記欠損データを書き込むことを特徴とする画像形成装置による電子ペーパー印刷方法。
【請求項１１】
ユーザからの指示に基づいて、電子ペーパー格納手段に格納された電子ペーパーにデータを書き込むとともに、データの書き込みのときに、書き込み対象のデータの一部を欠損データとして欠損させた状態でデータを書き込むステップと、
前記電子ペーパーに書き込まれたデータ毎に、電子ペーパーとユーザと前記欠損データとを関連付けて記憶手段に記憶するステップと、
電子ペーパーにユーザが接触したことを検出する接触検出ステップと、
前記接触検出ステップにおいて接触が検出された電子ペーパーを特定する電子ペーパー特定ステップと、
前記接触検出ステップにおいて電子ペーパーへの接触が検出されたとき、電子ペーパーへ接触したユーザが所有する記録媒体に格納されたユーザ情報を、該ユーザの人体を通じた通信を用いて取得することにより、電子ペーパーに接触したユーザを特定するユーザ特定ステップと、
前記記憶手段に記憶された欠損データの中に、前記特定された電子ペーパー及び前記特定されたユーザと関連付けられた欠損データが存在するかどうかを判断する判断ステップと、
前記判断ステップにおいて欠損データが存在すると判断された場合には、前記欠損データを前記電子ペーパーに書き込むステップと、
を、画像形成装置のコンピュータに実行させるための電子ペーパー印刷プログラム。
【請求項１２】
ユーザからの指示に基づいて、電子ペーパー格納手段に格納された電子ペーパーにデータを書き込むとともに、データの書き込みのときに、書き込み対象のデータの一部を欠損データとして欠損させた状態でデータを書き込むステップと、
前記電子ペーパーに書き込まれたデータ毎に、電子ペーパーとユーザと前記欠損データとを関連付けて記憶手段に記憶するステップと、
電子ペーパーにユーザが接触したことを検出する接触検出ステップと、
電子ペーパーが前記電子ペーパー格納手段から取り出されたことを検出する取り出し検出ステップと、
前記取り出し検出ステップにおいて取り出されたことが検出されたときに、該電子ペーパーを電子ペーパー格納手段に戻すことを促す表示を行う表示ステップと、
電子ペーパーが電子ペーパー格納手段に戻されたことを検出する再格納検出ステップと、
ユーザが接触した電子ペーパーを特定する電子ペーパー特定ステップと、
前記電子ペーパーへ接触したユーザが所有する記録媒体に格納されたユーザ情報を、該ユーザの人体を通じた通信を用いて取得することにより、電子ペーパーへ接触したユーザを特定するユーザ特定ステップと、
前記記憶手段に記憶された欠損データの中に、前記特定された電子ペーパー及び前記特定されたユーザと関連付けられた欠損データが存在するかどうかを判断する判断ステップと、
前記判断ステップにおいて欠損データが存在すると判断された場合には、前記欠損データを前記電子ペーパーに書き込むステップと、
を、画像形成装置のコンピュータに実行させるための電子ペーパー印刷プログラム。
【請求項１３】
ユーザからの指示に基づいて、電子ペーパー格納手段に格納された電子ペーパーにデータを書き込むとともに、データの書き込みのときに、書き込み対象のデータの一部を欠損データとして欠損させた状態でデータを書き込むステップと、
前記電子ペーパーに書き込まれたデータ毎に、電子ペーパーとユーザと前記欠損データとを関連付けて記憶手段に記憶するステップと、
電子ペーパーが前記電子ペーパー格納手段から取り出されたことを検出する取り出し検出ステップと、
前記取り出し検出ステップにおいて取り出されたことが検出されたときに、該電子ペーパーを保持したままの状態で自装置と接触することを促す表示を表示手段に行う表示ステップと、
前記電子ペーパーへ接触したユーザが所有する記録媒体に格納されたユーザ情報及び電子ペーパー情報を、該ユーザの人体を通じた通信を用いて取得することにより、電子ペーパー及びユーザを特定する特定ステップと、
前記記憶手段に記憶された欠損データの中に、前記特定された電子ペーパー及び前記特定されたユーザと関連付けられた欠損データが存在するかどうかを判断する判断ステップと、
前記判断ステップにおいて欠損データが存在すると判断された場合には、前記欠損データと該欠損データを書き込む対象データの情報を人体通信を介してユーザが所有する前記記録媒体に書き込むとともに、書き込み開始の指示情報を前記記録媒体に書き込むステップと、
を、画像形成装置のコンピュータに実行させるための電子ペーパー印刷プログラム。
【発明の詳細な説明】
【技術分野】
【０００１】
この発明は、電子ペーパー格納手段に格納された電子ペーパーに印刷データを書き込んで印刷（表示）させる画像形成装置、該画像形成装置で実施される電子ペーパー印刷方法及び印刷プログラムに関する。
【背景技術】
【０００２】
例えばパーソナルコンピュータから送信された印刷データや、スキャナ部で読み取った原稿の画像データを用紙に印刷するのみならず、電子ペーパーへの印刷つまり印刷データを電子ペーパーに書き込んで表示させることができる画像形成装置が知られている。
【０００３】
ところが、このような画像形成装置において、電子ペーパーに印刷データを書き込んだ後、取り忘れや電子ペーパーの取り間違い等によって、電子ペーパーに表示されたデータが第三者に見られてしまうおそれがある。特に、表示されたデータが機密文書に関するものである場合、機密漏洩に繋がるという問題がある。
【０００４】
なお、特許文献１には、ユーザの人体を介した通信を行うと共に、生体情報を利用した認証処理を行い、認証後の生体情報の持ち主以外のユーザによる使用を排除した技術が開示されている。
【０００５】
また、特許文献２には、ユーザの人体を介した通信を行うと共に、送信先を指定する等の複雑な操作を要することなく、データの送信先を正確に特定して送信する技術が開示されている。
【先行技術文献】
【特許文献】
【０００６】
【特許文献１】特開２０１２−０３８１２７号公報
【特許文献２】特開２００４−２６０８００号公報
【発明の概要】
【発明が解決しようとする課題】
【０００７】
しかしながら、上記の各特許文献に記載の技術は、いずれも電子ペーパーへの印刷データの書き込に関する技術ではなく、電子ペーパーに印刷データを書き込んだ後、取り忘れや電子ペーパーの取り間違い等によって、電子ペーパーに表示されたデータが第三者に見られてしまうおそれがあるという問題に対して、解決策を提供しうるものではなかった。
【０００８】
この発明は、上記実情に鑑みてなされたものであり、電子ペーパーに表示されたデータが第三者に見られてしまうおそれを抑制して、機密漏洩を防止することができる画像形成装置を提供し、さらには前記画像形成装置で実施される電子ペーパー印刷方法及び印刷プログラムの提供を課題としている。
【課題を解決するための手段】
【０００９】
上記課題は、以下の手段によって解決される。
（１）電子ペーパーを格納する電子ペーパー格納手段と、ユーザからの指示に基づいて、前記電子ペーパー格納手段に格納された電子ペーパーにデータを書き込むとともに、データの書き込みのときに、書き込み対象のデータの一部を欠損データとして欠損させた状態でデータを書き込む書き込み手段と、前記書き込み手段により電子ペーパーに書き込まれたデータ毎に、電子ペーパーとユーザと前記欠損データとを関連付けて記憶する記憶手段と、電子ぺーバーにユーザが接触したことを検出する接触検出手段と、前記接触検出手段により接触が検出された電子ペーパーを特定する電子ペーパー特定手段と、前記接触検出手段により電子ペーパーへの接触が検出されたとき、電子ペーパーへ接触したユーザが所有する記録媒体に格納されたユーザ情報を、該ユーザの人体を通じた通信を用いて取得することにより、電子ペーパーに接触したユーザを特定するユーザ特定手段と、前記記憶手段に記憶された欠損データの中に、前記特定された電子ペーパー及び前記特定されたユーザと関連付けられた欠損データが存在するかどうかを判断する判断手段と、を備え、前記判断手段により欠損データが存在すると判断された場合には、前記書き込み手段は、前記欠損データを前記電子ペーパーに書き込むことを特徴とする画像形成装置。
（２）電子ペーパーを格納する電子ペーパー格納手段と、ユーザからの指示に基づいて、前記電子ペーパー格納手段に格納された電子ペーパーにデータを書き込むとともに、データの書き込みのときに、書き込み対象のデータの一部を欠損データとして欠損させた状態でデータを書き込む書き込み手段と、前記書き込み手段により電子ペーパーに書き込まれたデータ毎に、電子ペーパーとユーザと前記欠損データとを関連付けて記憶する記憶手段と、電子ペーパーにユーザが接触したことを検出する接触検出手段と、電子ペーパーが前記電子ペーパー格納手段から取り出されたことを検出する取り出し検出手段と、前記取り出し検出手段により取り出されたことが検出されたときに、該電子ペーパーを電子ペーパー格納手段に戻すことを促す表示を行う表示手段と、電子ペーパーが電子ペーパー格納手段に戻されたことを検出する再格納検出手段と、ユーザが接触した電子ペーパーを特定する電子ペーパー特定手段と、前記電子ペーパーへ接触したユーザが所有する記録媒体に格納されたユーザ情報を、該ユーザの人体を通じた通信を用いて取得することにより、電子ペーパーへ接触したユーザを特定するユーザ特定手段と、前記記憶手段に記憶された欠損データの中に、前記特定された電子ペーパー及び前記特定されたユーザと関連付けられた欠損データが存在するかどうかを判断する判断手段と、を備え、前記判断手段により欠損データが存在すると判断された場合には、前記書き込み手段は、前記欠損データを前記電子ペーパーに書き込むことを特徴とする画像形成装置。
（３）電子ペーパーを格納する電子ペーパー格納手段と、ユーザからの指示に基づいて、前記電子ペーパー格納手段に格納された電子ペーパーにデータを書き込むとともに、データの書き込みのときに、書き込み対象のデータの一部を欠損データとして欠損させた状態でデータを書き込む書き込み手段と、前記書き込み手段により電子ペーパーに書き込まれたデータ毎に、電子ペーパーとユーザと前記欠損データとを関連付けて記憶する記憶手段と、電子ペーパーが前記電子ペーパー格納手段から取り出されたことを検出する取り出し検出手段と、前記取り出し検出手段により取り出されたことが検出されたときに、該電子ペーパーを保持したままの状態で自装置と接触することを促す表示を行う表示手段と、前記電子ペーパーへ接触したユーザが所持する記録媒体に格納されたユーザ情報及び電子ペーパー情報を、該ユーザの人体を通じた通信を用いて取得することにより、電子ペーパー及びユーザを特定する特定手段と、前記記憶手段に記憶された欠損データの中に、前記特定された電子ペーパー及び前記特定されたユーザと関連付けられた欠損データが存在するかどうかを判断する判断手段と、を備え、前記判断手段により欠損データが存在すると判断された場合には、前記書き込み手段は、前記欠損データと該欠損データを書き込む対象データの情報を人体通信を介してユーザが所持する前記記録媒体に書き込むとともに、書き込み開始の指示情報を前記記録媒体に書き込み、書き込み開始の指示情報が前記記録媒体に書き込まれたのち、電子ペーパーは、前記欠損データを書き込むものとなされていることを特徴とする画像形成装置。
（４）前記欠損データは、ファイルのヘッダー部分、ファイルの最初から所定容量部分、ファイルの最後から所定容量部分、ファイルの予め決められている特定部分の少なくともいずれかである前項１〜３のいずれかに記載の画像形成装置。
（５）前記ユーザの特定に際して、ユーザに対して自装置との人体通信を促す表示を自装置の表示手段に行う前項１〜４のいずれかに記載の画像形成装置。
（６）前記欠損データと該欠損データを書き込む対象データの情報を人体通信を介してユーザが所有する前記記録媒体に書き込む際に、ユーザに対して自装置との人体通信を促す表示を自装置の表示手段に行う前項３に記載の画像形成装置。
（７）前記電子ペーパーへの欠損データの書き込み中は、該電子ペーパーは書き込み中である旨の表示を行う前項１〜６のいずれかに記載の画像形成装置。
（８）ユーザからの指示に基づいて、電子ペーパー格納手段に格納された電子ペーパーにデータを書き込むとともに、データの書き込みのときに、書き込み対象のデータの一部を欠損データとして欠損させた状態でデータを書き込むステップと、前記電子ペーパーに書き込まれたデータ毎に、電子ペーパーとユーザと前記欠損データとを関連付けて記憶手段に記憶するステップと、電子ペーパーにユーザが接触したことを検出する接触検出ステップと、前記接触検出ステップにおいて接触が検出された電子ペーパーを特定する電子ペーパー特定ステップと、前記接触検出ステップにおいて電子ペーパーへの接触が検出されたとき、電子ペーパーへ接触したユーザが所有する記録媒体に格納されたユーザ情報を、該ユーザの人体を通じた通信を用いて取得することにより、電子ペーパーに接触したユーザを特定するユーザ特定ステップと、前記記憶手段に記憶された欠損データの中に、前記特定された電子ペーパー及び前記特定されたユーザと関連付けられた欠損データが存在するかどうかを判断する判断ステップと、前記判断ステップにおいて欠損データが存在すると判断された場合には、前記欠損データを前記電子ペーパーに書き込むステップと、を備えたことを特徴とする画像形成装置による電子ペーパー印刷方法。
（９）ユーザからの指示に基づいて、電子ペーパー格納手段に格納された電子ペーパーにデータを書き込むとともに、データの書き込みのときに、書き込み対象のデータの一部を欠損データとして欠損させた状態でデータを書き込むステップと、前記電子ペーパーに書き込まれたデータ毎に、電子ペーパーとユーザと前記欠損データとを関連付けて記憶手段に記憶するステップと、電子ペーパーにユーザが接触したことを検出する接触検出ステップと、電子ペーパーが前記電子ペーパー格納手段から取り出されたことを検出する取り出し検出ステップと、前記取り出し検出ステップにおいて取り出されたことが検出されたときに、該電子ペーパーを電子ペーパー格納手段に戻すことを促す表示を行う表示ステップと、電子ペーパーが電子ペーパー格納手段に戻されたことを検出する再格納検出ステップと、ユーザが接触した電子ペーパーを特定する電子ペーパー特定ステップと、前記電子ペーパーへ接触したユーザが所有する記録媒体に格納されたユーザ情報を、該ユーザの人体を通じた通信を用いて取得することにより、電子ペーパーへ接触したユーザを特定するユーザ特定ステップと、前記記憶手段に記憶された欠損データの中に、前記特定された電子ペーパー及び前記特定されたユーザと関連付けられた欠損データが存在するかどうかを判断する判断ステップと、前記判断ステップにおいて欠損データが存在すると判断された場合には、前記欠損データを前記電子ペーパーに書き込むステップと、を備えたことを特徴とする画像形成装置による電子ペーパー印刷方法。
（１０）ユーザからの指示に基づいて、電子ペーパー格納手段に格納された電子ペーパーにデータを書き込むとともに、データの書き込みのときに、書き込み対象のデータの一部を欠損データとして欠損させた状態でデータを書き込むステップと、前記電子ペーパーに書き込まれたデータ毎に、電子ペーパーとユーザと前記欠損データとを関連付けて記憶手段に記憶するステップと、電子ペーパーが前記電子ペーパー格納手段から取り出されたことを検出する取り出し検出ステップと、前記取り出し検出ステップにおいて取り出されたことが検出されたときに、該電子ペーパーを保持したままの状態で自装置と接触することを促す表示を表示手段に行う表示ステップと、前記電子ペーパーへ接触したユーザが所有する記録媒体に格納されたユーザ情報及び電子ペーパー情報を、該ユーザの人体を通じた通信を用いて取得することにより、電子ペーパー及びユーザを特定する特定ステップと、前記記憶手段に記憶された欠損データの中に、前記特定された電子ペーパー及び前記特定されたユーザと関連付けられた欠損データが存在するかどうかを判断する判断ステップと、前記判断ステップにおいて欠損データが存在すると判断された場合には、前記欠損データと該欠損データを書き込む対象データの情報を人体通信を介してユーザが所有する前記記録媒体に書き込むとともに、書き込み開始の指示情報を前記記録媒体に書き込むステップと、を備え、書き込み開始の指示情報が前記記録媒体に書き込まれたのち、前記電子ペーパーは、前記欠損データを書き込むことを特徴とする画像形成装置による電子ペーパー印刷方法。
（１１）ユーザからの指示に基づいて、電子ペーパー格納手段に格納された電子ペーパーにデータを書き込むとともに、データの書き込みのときに、書き込み対象のデータの一部を欠損データとして欠損させた状態でデータを書き込むステップと、前記電子ペーパーに書き込まれたデータ毎に、電子ペーパーとユーザと前記欠損データとを関連付けて記憶手段に記憶するステップと、電子ペーパーにユーザが接触したことを検出する接触検出ステップと、前記接触検出ステップにおいて接触が検出された電子ペーパーを特定する電子ペーパー特定ステップと、前記接触検出ステップにおいて電子ペーパーへの接触が検出されたとき、電子ペーパーへ接触したユーザが所有する記録媒体に格納されたユーザ情報を、該ユーザの人体を通じた通信を用いて取得することにより、電子ペーパーに接触したユーザを特定するユーザ特定ステップと、前記記憶手段に記憶された欠損データの中に、前記特定された電子ペーパー及び前記特定されたユーザと関連付けられた欠損データが存在するかどうかを判断する判断ステップと、前記判断ステップにおいて欠損データが存在すると判断された場合には、前記欠損データを前記電子ペーパーに書き込むステップと、を、画像形成装置のコンピュータに実行させるための電子ペーパー印刷プログラム。
（１２）ユーザからの指示に基づいて、電子ペーパー格納手段に格納された電子ペーパーにデータを書き込むとともに、データの書き込みのときに、書き込み対象のデータの一部を欠損データとして欠損させた状態でデータを書き込むステップと、前記電子ペーパーに書き込まれたデータ毎に、電子ペーパーとユーザと前記欠損データとを関連付けて記憶手段に記憶するステップと、電子ペーパーにユーザが接触したことを検出する接触検出ステップと、電子ペーパーが前記電子ペーパー格納手段から取り出されたことを検出する取り出し検出ステップと、前記取り出し検出ステップにおいて取り出されたことが検出されたときに、該電子ペーパーを電子ペーパー格納手段に戻すことを促す表示を行う表示ステップと、電子ペーパーが電子ペーパー格納手段に戻されたことを検出する再格納検出ステップと、ユーザが接触した電子ペーパーを特定する電子ペーパー特定ステップと、前記電子ペーパーへ接触したユーザが所有する記録媒体に格納されたユーザ情報を、該ユーザの人体を通じた通信を用いて取得することにより、電子ペーパーへ接触したユーザを特定するユーザ特定ステップと、前記記憶手段に記憶された欠損データの中に、前記特定された電子ペーパー及び前記特定されたユーザと関連付けられた欠損データが存在するかどうかを判断する判断ステップと、前記判断ステップにおいて欠損データが存在すると判断された場合には、前記欠損データを前記電子ペーパーに書き込むステップと、を、画像形成装置のコンピュータに実行させるための電子ペーパー印刷プログラム。
（１３）ユーザからの指示に基づいて、電子ペーパー格納手段に格納された電子ペーパーにデータを書き込むとともに、データの書き込みのときに、書き込み対象のデータの一部を欠損データとして欠損させた状態でデータを書き込むステップと、前記電子ペーパーに書き込まれたデータ毎に、電子ペーパーとユーザと前記欠損データとを関連付けて記憶手段に記憶するステップと、電子ペーパーが前記電子ペーパー格納手段から取り出されたことを検出する取り出し検出ステップと、前記取り出し検出ステップにおいて取り出されたことが検出されたときに、該電子ペーパーを保持したままの状態で自装置と接触することを促す表示を表示手段に行う表示ステップと、前記電子ペーパーへ接触したユーザが所有する記録媒体に格納されたユーザ情報及び電子ペーパー情報を、該ユーザの人体を通じた通信を用いて取得することにより、電子ペーパー及びユーザを特定する特定ステップと、前記記憶手段に記憶された欠損データの中に、前記特定された電子ペーパー及び前記特定されたユーザと関連付けられた欠損データが存在するかどうかを判断する判断ステップと、前記判断ステップにおいて欠損データが存在すると判断された場合には、前記欠損データと該欠損データを書き込む対象データの情報を人体通信を介してユーザが所有する前記記録媒体に書き込むとともに、書き込み開始の指示情報を前記記録媒体に書き込むステップと、を画像形成装置のコンピュータに実行させるための電子ペーパー印刷プログラム。
【発明の効果】
【００１０】
前項（１）に記載の発明によれば、データを書き込むときに、書き込み対象のデータの一部を欠損データとして欠損させた状態でデータを書き込むとともに、書き込まれたデータ毎に、電子ペーパーとユーザと前記欠損データとを関連付けて記憶手段に記憶する。そして、ユーザが電子ペーパーに接触したときに、接触した電子ペーパーを特定し、さらにユーザが所有する記録媒体に格納されたユーザ情報を、該ユーザの人体を通じた通信を用いて取得することにより、電子ペーパーに接触したユーザを特定し、記憶手段に記憶された欠損データの中に、前記特定された電子ペーパー及び特定されたユーザと関連付けられた欠損データが存在するかどうかを判断する。欠損データが存在すると判断された場合、前記欠損データが電子ペーパーに書き込まれる。
【００１１】
つまり、適正なユーザが電子ペーパーに接触した場合に、欠損データが書き込まれる結果、印刷データが電子ペーパーに表示（印刷）される一方、欠損データが書き込まれていない状態で、電子ペーパーの取り忘れや取り間違い等によって、第三者が電子ペーパーを入手したとしても、電子ペーパーにはデータが表示されていないから、データが第三者に見られてしまうおそれがなくなり、機密漏洩の防止に繋がる。
【００１２】
前項（２）に記載の発明によれば、データを書き込むときに、書き込み対象のデータの一部を欠損データとして欠損させた状態でデータを書き込むとともに、書き込まれたデータ毎に、電子ペーパーとユーザと前記欠損データとを関連付けて記憶手段に記憶する。そして、ユーザが電子ペーパー格納手段から電子ペーパーを取り出すと、電子ペーパーを電子ペーパー格納手段に戻すことを促す表示がなされ、電子ペーパーを戻すと、記憶手段に記憶された欠損データの中に、特定された電子ペーパー及び特定されたユーザと関連付けられた欠損データが存在するかどうかを判断する。欠損データが存在すると判断された場合、前記欠損データが電子ペーパーに書き込まれる。
【００１３】
従って、適正なユーザが電子ペーパーに接触した場合に、欠損データが書き込まれる結果、印刷データが電子ペーパーに表示（印刷）される一方、欠損データが書き込まれていない状態で、電子ペーパーの取り忘れや取り間違い等によって、第三者が電子ペーパーを入手したとしても、電子ペーパーにはデータが表示されていないから、データが第三者に見られてしまうおそれがなくなり、機密漏洩の防止に繋がる。
【００１４】
前項（３）に記載の発明によれば、データを書き込むときに、書き込み対象のデータの一部を欠損データとして欠損させた状態でデータを書き込むとともに、書き込まれたデータ毎に、電子ペーパーとユーザと前記欠損データとを関連付けて記憶手段に記憶する。そして、ユーザが電子ペーパー格納手段から電子ペーパーを取り出すと、電子ペーパーを保持したままの状態で画像形成装置と接触することを促す表示がなされ、ユーザが画像形成装置に接触すると、該接触したユーザが所有する記録媒体に格納されたユーザ情報及び電子ペーパー情報からペーパー及びユーザを特定するとともに、記憶手段に記憶された欠損データの中に、特定された電子ペーパー及び特定されたユーザと関連付けられた欠損データが存在するかどうかを判断する。欠損データが存在すると判断された場合、前記欠損データと該欠損データを書き込む対象データの情報と書き込み開始の指示情報が、ユーザが所持する記録媒体に書き込まれる。電子ペーパーは書き込み開始の指示情報が前記記録媒体に書き込まれたことを検知して、前記欠損データと該欠損データを書き込む対象データの情報を取り込み、対象データに欠損データを書き込む。
【００１５】
従って、適正なユーザが電子ペーパーを取り出したときに、欠損データが書き込まれるから、印刷データが電子ペーパーに表示（印刷）される一方、欠損データが書き込まれていない状態で、電子ペーパーの取り忘れや取り間違い等によって、第三者が電子ペーパーを入手したとしても、電子ペーパーにはデータが表示されていないから、データが第三者に見られてしまうおそれがなくなり、機密漏洩の防止に繋がる。
【００１６】
前項（４）に記載の発明によれば、欠損データは、ファイルのヘッダー部分、ファイルの最初から所定容量部分、ファイルの最後から所定容量部分、ファイルの予め決められている特定部分の少なくともいずれかであるから、データが第三者に見られてしまうおそれを的確に防止できる。
【００１７】
前項（５）に記載の発明によれば、ユーザの特定に際して、ユーザに対して自装置との人体通信を促すことができる。
【００１８】
前項（６）に記載の発明によれば、欠損データと該欠損データを書き込む対象データの情報を人体通信を介してユーザが所有する前記記録媒体に書き込む際に、ユーザに対して自装置との人体通信を促すことができる。
【００１９】
前項（７）に記載の発明によれば、電子ペーパーへの欠損データの書き込み中であることを、ユーザは認識することができる。
【００２０】
前項（８）〜（１０）に記載の発明によれば、電子ペーパーの取り忘れや取り間違い等によって、第三者が電子ペーパーを入手したとしても、電子ペーパーにはデータが表示されていないから、データが第三者に見られてしまうおそれがなくなり、機密漏洩を防止できる。
【００２１】
前項（１１）〜（１３）に記載の発明によれば、電子ペーパーの取り忘れや取り間違い等によって、第三者が電子ペーパーを入手したとしても、データが第三者に見られてしまうおそれをなくして、機密漏洩を防止できる処理を、画像形成装置のコンピュータに実行させることができる。
【図面の簡単な説明】
【００２２】
【図１】この発明の一実施形態に係る画像形成装置を示す斜視図である。
【図２】画像形成装置の要部の構成を示すブロック図である。
【図３】人体通信カードの構成を示すブロック図である。
【図４】電子ペーパーの構成を示すブロック図である。
【図５】画像形成装置から電子ペーパーに印刷データを書き込む場合の画像形成装置、電子ペーパー、ユーザないし人体通信カードの各動作を示すシーケンス図である。
【図６】図５に示した実施形態における画像形成装置の動作を示すフローチャートである。
【図７】人体通信カードで実行される動作を示すフローチャートである。
【図８】この発明の他の実施形態を示すものであり、画像形成装置から電子ペーパーに印刷データを書き込む場合の画像形成装置、電子ペーパー、ユーザないし人体通信カードの各動作を示すシーケンス図である。
【図９】図８に示した実施形態における画像形成装置の動作を示すフローチャートである。
【図１０】この発明の他の実施形態を示すものであり、画像形成装置から電子ペーパーに印刷データを書き込む場合の画像形成装置、電子ペーパー、ユーザないし人体通信カードの各動作を示すシーケンス図である。
【図１１】図１０に示した実施形態における画像形成装置の動作を示すフローチャートである。
【図１２】図１０に示した実施形態における人体通信カード２０１の動作を示すフローチャートで
【図１３】図１２のステップＳ７１の「ＭＦＰとの通信制御」処理を示すフローチャートである。
【図１４】図１２のステップＳ７２の「電子ペーパーとの通信制御」処理を示すフローチャートである。
【図１５】図１０に示した実施形態における電子ペーパー側で実行される通信制御処理を示すフローチャートである。
【発明を実施するための形態】
【００２３】
以下、この発明の実施形態を図面に基づいて説明する。
【００２４】
図１は、この発明の一実施形態に係る画像形成装置を示す斜視図である。
【００２５】
図１において、この画像形成形成装置１は１枚または複数枚の電子ペーパー１００を格納可能に構成されると共に、電子ペーパー１００に印刷データを書き込むことができるようになっている。この実施形態では、画像形成装置１として多機能デジタル複合機であるＭＦＰが用いられている。以下、画像形成装置をＭＦＰとも記す。
また、ユーザ２００はユーザ情報等が記録された人体通信カード２０１を所持しており、ＭＦＰ１はユーザ２００がＭＦＰに接触した状態でユーザ２００との間でユーザの人体を介して通信（人体通信）を行うことにより、人体通信カード２０１に記録された情報を読み取ったり、データを人体通信カード２０１に書き込むことが可能となっている。
【００２６】
なお、電子ペーパーを図面ではｅ−ｐａｐｅｒとも記す。
【００２７】
図２は、ＭＦＰ１の要部の構成を示すブロック図である。
【００２８】
図２に示すように、ＭＦＰ１は制御部１１と、データ書き込み部１２と、パネル表示部１３と、人体通信インターフェース（Ｉ／Ｆ）１４と、電子ペーパー装着・挿抜状態検出部１５と、ネットワーク通信部１６と、電子ペーパー格納部１７と、記憶部１８等を備えている。
【００２９】
制御部１１はＭＦＰ１の全体を統括的に制御するものであり、ＭＦＰ１の各部はこの制御部１１による制御の基で動作する。この制御部１１は、図示しないＣＰＵ、ＲＯＭ、ＲＡＭ等を備えている。
【００３０】
データ書き込み部１２は、例えばユーザ端末（不図示）からＭＦＰ１に送信された印刷データを、電子ペーパー１００に書き込むものである。
【００３１】
パネル表示部１３は操作パネルからなり、ユーザが操作を行うための操作部と、各種の操作画面やメッセージ等を表示する表示部を備えている。
【００３２】
人体通信インターフェース１４は、ＭＦＰ１に接触したユーザ２００の人体を通信経路として、ユーザ２００が所持する人体通信カード２０１と通信を行うものである。
【００３３】
電子ペーパー装着・挿抜状態検出部１５は、電子ペーパー格納部１７に設けられた電子ペーパー検出用のセンサー等からの信号に基づいて電子ペーパー１００が電子ペーパー格納部１７に装着されているか、格納部１７から取り出されたか、あるいは再度格納部１７に差し込まれたかを検出するものである。
【００３４】
ネットワーク通信部１６は、ユーザ端末等の外部装置とネットワークを介して通信を行うものであり、電子ペーパー格納部１７は各ユーザに対応した１枚または複数枚の電子ペーパー１００を格納する。
【００３５】
記憶部１８は、電子ペーパー１００に書き込まれる印刷データや、ユーザ情報、電子ペーパーについての情報等、各種のデータを記憶するものであり、例えばハードディスク装置により構成されている。
【００３６】
図３は、人体通信カード２０１の構成を示すブロック図である。
【００３７】
人体通信カード２０１は、通信制御部２１１と、人体通信インターフェース２１２と、記憶部２１３を備えている。
【００３８】
通信制御部２１１は、ＣＰＵ、ＲＯＭ、ＲＡＭ等を備え、人体通信インターフェース２１２を介して行われるＭＦＰ１との間の通信を制御したり、ＭＦＰ１から送信される情報を記憶部２１３に書き込んだり、記憶部２１３に記憶されている情報をＭＦＰ１に送信する等の制御を行う。
【００３９】
人体通信インターフェース２１２は、ユーザ２００の人体を通信経路として、ＭＦＰ１や電子ペーパー１００との間で通信を行うものである。
【００４０】
記憶部２１３は、ユーザ情報、ユーザに対応する電子ペーパーの情報を予め記憶しており、またＭＦＰ１から送信された欠損データ（後述）、欠損データが書き込まれる対象のデータ等の情報を記憶する。
【００４１】
図４は、電子ペーパー１００の構成を示すブロック図である。
【００４２】
電子ペーパー１００は、制御部１０１と、データ書き込み部１０２と、表示部１０３と、人体通信インターフェース１０４と、接触センサー１０５と、記憶部１０６を備えている。
【００４３】
制御部１０１は、ＣＰＵ、ＲＯＭ、ＲＡＭ等を備え、電子ペーパー１００の各部を統括的に制御する。
【００４４】
データ書き込み部１０２は、人体通信によりユーザの人体通信カード２０１から取得した欠損データなどを書き込むものであり、表示部１０３は、ＭＦＰ１やデータ書き込み部１０２により書き込まれたデータを表示するものである。
【００４５】
人体通信インターフェース１０４は、電子ペーパー１００に接触したユーザ２００の人体を通信経路として、ユーザ２００が所持する人体通信カード２０１と通信を行うものであり、接触センサー１０５は、ユーザ２００が電子ペーパー１００に接触したことを検出するものである。
【００４６】
記憶部１０６は、ＭＦＰ１等から書き込まれた印刷データ等を記憶する。
【００４７】
図５は、ＭＦＰ１から電子ペーパー１００に印刷データを書き込む場合のＭＦＰ１、電子ペーパー１００、ユーザ２００ないし人体通信カード２０１の各動作を示すシーケンス図である。
【００４８】
ユーザがユーザ端末等からユーザを示すユーザ情報や書き込む電子ペーパーを示す電子ペーパー情報を付加して、印刷データをＭＦＰ１に送信する。ＭＦＰ１は、これらのデータを受信すると、印刷データの一部を欠損データとして欠損させた状態で、データを指定された電子ペーパー１００に書き込む（ステップＳ２０２）。一方、ＭＦＰ１は登録情報を作成する（ステップＳ２０１）。登録情報は、ユーザ情報と、例えばファイル名等の書き込んだデータ（ファイル）の情報と、電子ペーパー情報と、欠損させた欠損データ（追加データともいう）の情報を含み、これらの情報を関連付けて記憶部１８に記憶する。
【００４９】
欠損データ（追加データ）は、ファイルのヘッダー部分、ファイルの最初から所定容量部分、ファイルの最後から所定容量部分、ファイルの予め決められている特定部分の少なくともいずれかに予め設定されている。この実施形態では、ファイルのヘッダー部分が欠損データとしてなされている。
【００５０】
電子ペーパー１００に書き込まれたデータは、ファイルのヘッダー部分が欠損しているから、この状態では破損ファイルと認識され、開くことができない（ステップＳ２０３）。従って、この状態で正規のユーザが電子ペーパー１００を取り忘れたり取り間違えて、該電子ペーパー１００を第三者が入手したとしても、閲覧することはできない。
【００５１】
次に、印刷データを書き込んだユーザが、電子ペーパー１００を電子ペーパー格納部１７から取り出すために、電子ペーパー１００に接触したとする（ステップＳ２０４）。電子ペーパー１００は触られたことを接触センサ１０５により検知し（ステップＳ２０５）、ＭＦＰ１に通知し、ＭＦＰ１は触られた電子ペーパー１００を特定する。
【００５２】
次いで、ＭＦＰ１は、操作パネルであるパネル表示部１３に、ユーザ特定のためにＭＦＰ１に触れておくようユーザに促す表示を行う（ステップＳ２０６）。
【００５３】
ユーザがＭＦＰ１に触れると（ステップＳ２０７）、ＭＦＰ１はユーザの人体通信カード２０１と人体通信を行い、カード内に記憶されているユーザ情報を取得して、ユーザを特定するが（ステップＳ２０８）、パネル表示部１３には接触を維持する表示を行う（ステップＳ２０９）。
【００５４】
また、ＭＦＰ１は記憶部１８に記憶した登録情報の中から、特定した電子ペーパー１００及び特定したユーザ情報に関連付けられた登録情報を検索し、対応する欠損データについての情報を取得する（ステップＳ２１０）。そして、追加データ（欠損データ）を電子ペーパー１００に書き込む（ステップＳ２１１）。書き込み中はその旨を電子ペーパー１００に表示する（ステップＳ２１２）。
【００５５】
追加データの書き込みが終了すると（ステップＳ２１３）、その表示を消去し（ステップＳ２１５）、ＭＦＰ１のパネル表示部１３に、書き込み終了のため電子ペーパー１００を持ち出しても良い旨の表示を行う（ステップＳ２１４）。
【００５６】
図６は、図５に示した実施形態におけるＭＦＰ１の動作を示すフローチャートである。この動作は、画像形成装置１の制御部１１におけるＣＰＵが、ＲＯＭ等の記録媒体に格納されている動作プログラムに従って動作することにより実行される。
【００５７】
ステップＳ０１で、ユーザから書き込み指示があったかどうかを判断し、指示がなければ（ステップＳ０１でＮＯ）、ステップＳ０５に進む。指示があれば（ステップＳ０１でＹＥＳ）、ステップＳ０２で、欠損データを欠損させて電子ペーパー１００にデータを書き込む。
【００５８】
次いでステップＳ０３で、ユーザ情報、書き込みデータ情報、追加データ（欠損データ）情報、電子ペーパー情報を含む登録情報を作成し、ステップＳ０４で、これらの情報を相互に関連付けて記憶部１８に記憶したのち、ステップＳ０５に進む。
【００５９】
ステップＳ０５では、ユーザが電子ペーパー１００に触れたかどうかを判断し、触れなければ（ステップＳ０５でＮＯ）、ステップＳ０１に戻る。ユーザが電子ペーパー１００に触れると（ステップＳ０５でＹＥＳ）、ステップＳ０６で、ＭＦＰ１への接触を促す表示をパネル表示部１３に行い、ステップＳ０７で電子ペーパーからの信号に基づいて、ユーザが触った電子ペーパー１００を特定する。
【００６０】
次にステップＳ０８で、ユーザ２００が所持する人体通信カード２０１との間で人体通信が確立されたかどうかを判断する。確立されなければ（ステップＳ０８でＮＯ）、確立されるまで待つ。確立されると（ステップＳ０８でＹＥＳ）、ステップＳ０９で、人体通信カード２０１の記憶部２１３に記憶されているユーザ情報を取得してユーザ２００を特定する。そして、ステップＳ１０で、特定した電子ペーパー１００と特定したユーザ２００に関連付けて記憶部１８に記憶された欠損データ（追加データ）を検索する。
【００６１】
ステップＳ１１では、検索の結果、追加データがあったかどうかを判断し、追加データがなければ（ステップＳ１１でＮＯ）、ステップＳ１５に進み、電子ペーパー１００にデータを表示させた後、ステップＳ０１に進む。
【００６２】
追加データがあれば（ステップＳ１１でＹＥＳ）、ステップＳ１２で、電子ペーパー１００に追加データを書き込んだ後、ステップＳ１３で、登録情報を更新して追加情報書き込み済みとする。
【００６３】
ステップＳ１４では、追加データを全て書き込んだかどうかを調べ、全て書き込んでいなければ（ステップＳ１４でＮＯ）、ステップＳ１０に戻る。全て書き込んだ場合（ステップＳ１４でＹＥＳ）、ステップＳ１５に進み、書き込んだデータを電子ペーパー１００に表示させる。従って、この段階で初めてデータが電子ペーパー１００に表示される。
【００６４】
従って、追加データが書き込まれるまではデータは電子ペーパー１００に表示されないから、データの内容が第三者に漏洩されることはなくなる。
【００６５】
図７は、ユーザ側の人体通信カード２０１で実行される動作を示すフローチャートである。
【００６６】
ステップＳ１８で、ＭＦＰ１からの人体通信が確立したかどうかを判断し、確立しなければ（ステップＳ１８でＮＯ）、処理を終了する。人体通信が確立すると（ステップＳ１８でＹＥＳ）、ステップＳ１９で、ＭＦＰ１からの取得要求に応じて、記憶部２１３に格納されているユーザ情報をＭＦＰ１に通知する。
【００６７】
図８はこの発明の他の実施形態を示すものであり、ＭＦＰ１から電子ペーパー１００に印刷データを書き込む場合のＭＦＰ１、電子ペーパー１００、ユーザ２００ないし人体通信カード２０１の各動作を示すシーケンス図である。
【００６８】
ユーザがユーザ端末等からユーザを示すユーザ情報や書き込む電子ペーパーを示す電子ペーパー情報を付加して、印刷データをＭＦＰ１に送信する。ＭＦＰ１は、これらのデータを受信すると、印刷データの一部を欠損データとして欠損させた状態で、データを指定された電子ペーパー１００に書き込む（ステップＳ３０２）。一方、ＭＦＰ１はユーザ情報、書き込んだデータ（ファイル）の情報と電子ペーパー情報、欠損データ（追加データ）の情報を含む登録情報を作成し（ステップＳ３０１）、これらの情報を関連付けて記憶部１８に記憶する。
【００６９】
電子ペーパー１００に書き込まれたデータは、ファイルのヘッダー部分が欠損しているから、この状態では破損ファイルと認識され、開くことができない（ステップＳ３０３）。従って、この状態で正規のユーザ２００が電子ペーパー１００を取り忘れたり取り間違えて、該電子ペーパー１００を第三者が入手したとしても、閲覧することはできない。
【００７０】
次に、印刷データを書き込んだユーザ２００が、電子ペーパー１００を電子ペーパー格納部１７から取り出すために、電子ペーパー１００に接触したとする（ステップＳ３０４）。電子ペーパー１００は触られたことを接触センサ１０５により検知し（ステップＳ３０５）、ＭＦＰ１に通知し、ＭＦＰ１は触られた電子ペーパー１００を特定する。
【００７１】
次いで、ＭＦＰ１は、操作パネルであるパネル表示部１３に、追加データ書き込みのため電子ペーパー１００を格納部１７から抜くことを禁止すること、及びユーザ特定のためにＭＦＰ１に触れておくこと、をユーザに促す表示を行う（ステップＳ３０６）。
【００７２】
それにもかかわらず、ユーザが電子ペーパー１００を格納部１７から抜いてしまった場合（ステップＳ３０７）、ＭＦＰ１は抜かれたことを電子ペーパー装着・挿抜状態検出部１５により検出する（ステップＳ３０８）。そして、パネル表示部１３に、追加データ書き込みのため電子ペーパー１００を格納部１７に戻すこと、及びユーザ特定のためにＭＦＰ１に触れておくこと、をユーザに促す表示を行う（ステップＳ３０９）。
【００７３】
ユーザが電子ペーパー１００を格納部１７に戻すと（ステップＳ３１０）、ＭＦＰ１は戻されたことを検知して（ステップＳ３１１）、操作パネルであるパネル表示部１３に再度、追加データ書き込みのため電子ペーパー１００を格納部１７から抜くことを禁止すること、及びユーザ特定のためにＭＦＰ１に触れておくこと、をユーザに促す表示を行う（ステップＳ３１２）。
【００７４】
ユーザがＭＦＰ１に触れると（ステップＳ３１３）、ＭＦＰ１はユーザの人体通信カード２０１と人体通信を行い、カード内に記憶されているユーザ情報を取得して、ユーザを特定する（ステップＳ３１４）。
【００７５】
また、ＭＦＰ１は記憶部１８に記憶した登録情報の中から、特定した電子ペーパー及び特定したユーザに関連付けられた登録情報を検索し、対応する欠損データについての情報を取得する（ステップＳ３１５）。そして、追加データ（欠損データ）を電子ペーパー１００に書き込む（ステップＳ３１６）。書き込み中はその旨を電子ペーパー１００に表示する（ステップＳ３１７）。
【００７６】
追加データの書き込みが終了すると（ステップＳ３１９）、その表示を消去し（ステップＳ３１８）、ＭＦＰ１のパネル表示部１３に、書き込み終了のため電子ペーパーを持ち出しても良い旨の表示を行う（ステップＳ３２０）。
【００７７】
図９は、図８に示した実施形態におけるＭＦＰ１の動作を示すフローチャートである。この動作は、画像形成装置１の制御部におけるＣＰＵが、ＲＯＭ等の記録媒体に格納されている動作プログラムに従って動作することにより実行される。
【００７８】
ステップＳ２１で、ユーザから書き込み指示があったかどうかを判断し、指示がなければ（ステップＳ２１でＮＯ）、ステップＳ２５に進む。指示があれば（ステップＳ２１でＹＥＳ）、ステップＳ２２で、欠損データを欠損させて電子ペーパー１００にデータを書き込む。
【００７９】
次いでステップＳ２３で、ユーザ情報、書き込みデータ情報、追加データ（欠損データ）情報、電子ペーパー情報を含む登録情報を作成し、ステップＳ２４で、これらの情報を相互に関連付けて記憶部１８に記憶したのち、ステップＳ２５に進む。
【００８０】
ステップＳ２５では、ユーザ２００が電子ペーパー１００に触れたかどうかを判断し、触れなければ（ステップＳ２５でＮＯ）、ステップＳ２１に戻る。ユーザ２００が電子ペーパー１００に触れると（ステップＳ２５でＹＥＳ）、ステップＳ２６で、電子ペーパー１００を格納部１７から抜かないこと、及びＭＦＰ１への接触を促す表示をパネル表示部１３に行い、ステップＳ２７で、電子ペーパー１００からの信号に基づいて、ユーザが触った電子ペーパーを特定する。
【００８１】
次にステップＳ２８で所定時間の経過を待ち、ステップＳ２９で、電子ペーパー１００が格納部１７から抜かれたかどうかを判断する。抜かれなければ（ステップＳ２９でＮＯ）、ステップＳ３４に進む。抜かれると（ステップＳ２９でＹＥＳ）、ステップＳ３０で、電子ペーパー１００を格納部１７に戻すことを促す表示をパネル表示部１３に行う。
【００８２】
次いで、ステップＳ３１で所定時間の経過を待ち、ステップＳ３２で、電子ペーパー１００が格納部１７に戻されたかどうかを判断する。戻されなければ（ステップＳ３２でＮＯ）、ステップＳ３１に戻り、電子ペーパー１００が格納部１７に戻されるのを待つ。電子ペーパー１００が戻されると（ステップＳ３２でＹＥＳ）、ステップＳ３３に進む。
【００８３】
ステップＳ３３では、電子ペーパー１００を格納部１７から抜かないこと、及びＭＦＰ１への接触を促す表示をパネル表示部１３に行い、ステップＳ３４で、ユーザが所持する人体通信カード２０１との間で人体通信が確立されたかどうかを判断する。確立されなければ（ステップＳ３４でＮＯ）、確立されるまで待つ。確立されると（ステップＳ３４でＹＥＳ）、ステップＳ３５で、人体通信カード２０１の記憶部２１３に記憶されているユーザ情報を取得してユーザを特定する。そして、ステップＳ３６で、特定した電子ペーパー１００と特定したユーザ情報に関連付けて記憶部１８に記憶された欠損データ（追加データ）を検索する。
【００８４】
ステップＳ３７では、検索の結果、追加データがあったかどうかを判断し、追加データがなければ（ステップＳ３７でＮＯ）、ステップＳ４１に進み、電子ペーパー１００にデータを表示させた後、ステップＳ２１に進む。
【００８５】
追加データがあれば（ステップＳ３７でＹＥＳ）、ステップＳ３８で、電子ペーパー１００に追加データを書き込んだ後、ステップＳ３９で、登録情報を更新して追加情報書き込み済みとする。
【００８６】
ステップＳ４０では、追加データを全て書き込んだかどうかを調べ、全て書き込んでいなければ（ステップＳ４０でＮＯ）、ステップＳ３６に戻る。全て書き込んだ場合（ステップＳ４０でＹＥＳ）、ステップＳ４１に進み、書き込んだデータを電子ペーパー１００に表示させる。従って、この段階で初めてデータが電子ペーパー１００に表示される。
【００８７】
従って、追加データが書き込まれるまではデータは電子ペーパーに表示されないから、データの内容が第三者に漏洩されることはなくなる。
【００８８】
なお、ユーザが所持する人体通信カード２０１の動作は、図７に示したフローチャートと同じである。
【００８９】
図１０はこの発明の他の実施形態を示すものであり、ＭＦＰ１から電子ペーパー１００に印刷データを書き込む場合のＭＦＰ１、電子ペーパー１００、ユーザ２００ないし人体通信カード２０１の各動作を示すシーケンス図である。
【００９０】
ユーザ２００がユーザ端末等からユーザを示すユーザ情報や書き込む電子ペーパーを示す電子ペーパー情報を付加して、印刷データをＭＦＰ１に送信する。ＭＦＰ１は、これらのデータを受信すると、印刷データの一部を欠損データとして欠損させた状態で、データを指定された電子ペーパー１００に書き込む（ステップＳ４０２）。一方、ＭＦＰ１はユーザ情報、書き込んだデータ（ファイル）の情報と電子ペーパー情報、欠損データ（追加データ）の情報を含む登録情報を作成し（ステップＳ４０１）、これらの情報を関連付けて記憶部１８に記憶する。
【００９１】
電子ペーパー１００に書き込まれたデータは、ファイルのヘッダー部分が欠損しているから、この状態では破損ファイルと認識され、開くことができない（ステップＳ４０３）。従って、この状態で正規のユーザが電子ペーパーを取り忘れたり取り間違えて、該電子ペーパー１００を第三者が入手したとしても、閲覧することはできない。
【００９２】
次に、印刷データを書き込んだユーザ２００が、電子ペーパー１００を持ち出すために電子ペーパー格納部１７から抜こうとしたとする（ステップＳ４０４）。電子ペーパー１００は触られたことを接触センサ１０５により検知し（ステップＳ４０５）、ＭＦＰ１に通知する。
【００９３】
次いで、ＭＦＰ１は、操作パネルであるパネル表示部１３に、追加データ書き込みのため電子ペーパー１００を持った状態でＭＦＰ１に触れておくことをユーザ２００に促す表示を行う（ステップＳ４０６）。
【００９４】
ユーザ２００がＭＦＰ１に触れると（ステップＳ４０８）、ＭＦＰ１はユーザの人体通信カード２０１と人体通信を行い、カード内に記憶されているユーザ情報及び電子ペーパー情報を取得して、ユーザ及び電子ぺーパーを特定する（ステップＳ４０９）。
【００９５】
次いで、ＭＦＰ１は記憶部１８に記憶した登録情報の中から、特定した電子ペーパー及び特定したユーザに関連付けられた登録情報を検索し、対応する欠損データについての情報を取得する（ステップＳ４１０）。そして、追加データ（欠損データ）を該追加データを追加書き込みすべき対象データの情報と共に、データ人体通信カード２０１に送信する（ステップＳ４１１）。人体通信カード２０１は、追加データ（欠損データ）を受信すると、記憶部２１３に一時的に保管する（ステップＳ４１２）。
【００９６】
人体通信カード２０１の記憶部２１３の空き容量がなくなると（ステップＳ４１３）、ＭＦＰ１は電子ペーパー１００への書き込み指示を、人体通信カード２０１に送信する。人体通信カード２０１は、電子ペーパーへの書き込み指示を記憶部２１３に記憶する。
【００９７】
次いで、人体通信カード２０１はユーザ２００が把持している電子ペーパー１００と人体通信を行い、電子ペーパー１００は、ＭＦＰ１から送信され人体通信カード２０１に記憶されている追加データを追加書き込みすべき対象データの情報を確認し、既に自身に書き込まれている対象データに追加データを書き込む（ステップＳ４１５）。
【００９８】
電子ペーパー１００により書き込みの終了が通知されると（ステップＳ４１６）、人体通信カード２０１は書き込みの終了をＭＦＰ１に通知する（ステップＳ４１７）。また、書き込むべきデータが更に存在する場合は、上記の処理を繰り返して電子ペーパー１００に書き込んでいく（ステップＳ４１８）。書き込み中はその旨を電子ペーパー１００に表示する（ステップＳ４１９）。
【００９９】
追加データの書き込みが全て終了すると、人体通信カード２０１は書き込みの終了をＭＦＰ１に通知する（ステップＳ４２０）。すると、ＭＦＰ１は、パネル表示部１３に、書き込み終了のため電子ペーパー１００を持ち出しても良い旨の表示を行とともに（ステップＳ４２１）、人体通信カード２０１に終了報告を行う（ステップＳ４２２）。人体通信カード２０１は電子ペーパー１００に表示消去を指示し、電子ペーパー１００は書き込み中であることの表示を消去する。
【０１００】
図１１は、図１０に示した実施形態におけるＭＦＰ１の動作を示すフローチャートである。この動作は、画像形成装置１の制御部１１におけるＣＰＵが、ＲＯＭ等の記録媒体に格納されている動作プログラムに従って動作することにより実行される。
【０１０１】
ステップＳ５１で、ユーザ２００から書き込み指示があったかどうかを判断し、指示がなければ（ステップＳ５１でＮＯ）、ステップＳ５５に進む。指示があれば（ステップＳ５１でＹＥＳ）、ステップＳ５２で、欠損データを欠損させて電子ペーパー１００にデータを書き込む。
【０１０２】
次いでステップＳ５３で、ユーザ情報、書き込みデータ情報、追加データ（欠損データ）情報、電子ペーパー情報を含む登録情報を作成し、ステップＳ５４で、これらの情報を相互に関連付けて記憶部１８に記憶したのち、ステップＳ５５に進む。
【０１０３】
ステップＳ５５では、電子ペーパー１００が格納部１７から抜かれたかどうかを判断し、抜かれていなければ（ステップＳ５５でＮＯ）、ステップＳ５１に戻る。電子ペーパー１００が格納部１７から抜かれると（ステップＳ５５でＹＥＳ）、ステップＳ５６で、電子ペーパー１００を所持したままＭＦＰ１への接触を促す表示をパネル表示部１３に行う。
【０１０４】
次にステップＳ５７で所定時間の経過を待ち、ステップＳ５８で、人体通信カード２０１との間で人体通信が確立したかどうかを判断する。人体通信が確立しなければ（ステップＳ５８でＮＯ）、ステップＳ５７に戻って再度所定時間の経過待つ。人体通信が確立されると（ステップＳ５８でＹＥＳ）、ステップＳ５９で、人体通信カード２０１の記憶部２１３に記憶されているユーザ情報及び電子ペーパー情報を取得して、ユーザ及び電子ペーパーを特定する。そして、ステップＳ６０で、特定した電子ペーパー１００と特定したユーザ情報に関連付けて記憶部１８に記憶された欠損データ（追加データ）を検索する。
【０１０５】
ステップＳ６１では、検索の結果、追加データがあったかどうかを判断し、追加データがなければ（ステップＳ６１でＮＯ）、ステップＳ６７に進み、電子ペーパー１００にデータを表示させた後、ステップＳ５１に進む。
【０１０６】
追加データがあれば（ステップＳ６１でＹＥＳ）、ステップＳ６２で、追加データ等を人体通信カード２０１の記憶部２１３に書き込んだ後、ステップＳ６３で、人体通信カード２０１に対して書き込み開始を指示する。
【０１０７】
次いで、ステップＳ６４で、人体通信カード２０１からの通知に基づいて電子ペーパー１００への書き込みが終了したかどうかを判断する。終了していなければ（ステップＳ６４でＮＯ）、終了まで待つ。書き込みが終了していれば（ステップＳ６４でＹＥＳ）、ステップＳ６５では、追加データを全て書き込んだかどうかを調べ、全て書き込んでいなければ（ステップＳ６５でＮＯ）、ステップＳ６０に戻る。全て書き込んだ場合（ステップＳ６５でＹＥＳ）、ステップＳ６６に進み、終了報告を人体通信カード２０１に書き込む。
【０１０８】
その後、電子ペーパー１００は、書き込んだデータを表示する。従って、この段階で初めてデータが電子ペーパー１００に表示される。
【０１０９】
つまり、追加データが書き込まれるまではデータは電子ペーパーに表示されないから、データの内容が第三者に漏洩されることはなくなる。
【０１１０】
図１２は、図１０に示した実施形態において、ユーザが所持する人体通信カード２０１の動作を示すフローチャートである。
【０１１１】
この動作は「ＭＦＰとの通信制御」処理（ステップＳ７１）と「電子ペーパーとの通信制御」処理（ステップＳ７２）によって構成されている。
【０１１２】
図１３は、図１２のステップＳ７１の「ＭＦＰとの通信制御」処理を示すフローチャートである。
【０１１３】
ステップＳ８１では、ＭＦＰ１からの通信が確立したかどうかを判断し、確立していなければ（ステップＳ８１でＮＯ）、リターンする。確立すると（ステップＳ８１でＹＥＳ）、ステップＳ８２でユーザ情報をＭＦＰ１に通知したのち、ステップＳ８３で電子ペーパー情報をＭＦＰ１に通知する。
【０１１４】
次いで、ステップＳ８４で、ＭＦＰ１からの書き込みデータがあるかどうかを判断し、書き込みデータがなければ（ステップＳ８４でＮＯ）、ステップＳ８９に進む。書き込みデータがあれば（ステップＳ８４でＹＥＳ）、ステップＳ８５で、そのデータが追加データかどうかを調べ、追加データであれば（ステップＳ８５でＹＥＳ）、ステップＳ８６で、追加データを記憶部２１３に格納した後、ステップＳ８７に進む。追加データでなければ（ステップＳ８５でＮＯ）、そのままステップＳ８７に進む。
【０１１５】
ステップＳ８７では、書き込み開始指示がなされたかどうかを判断し、なされていれば（ステップＳ８７でＹＥＳ）、ステップＳ８８で、書き込み開始を記憶部２１３に格納した後、ステップＳ８９に進む。書き込み開始指示がなされていなければ（ステップＳ８７でＮＯ）、そのままステップＳ８９に進む。
【０１１６】
ステップＳ８９では、書き込み終了が電子ペーパーから通知されたかどうかを判断し、書き込み終了が通知されると（ステップＳ８９でＹＥＳ）、ステップＳ９０で、書き込み終了をＭＦＰ１に通知した後、リターンする。書き込み終了が通知されないときは（ステップＳ８９でＮＯ）、そのままリターンする。
【０１１７】
図１４は、図１２のステップＳ７２の「電子ペーパーとの通信制御」処理を示すフローチャートである。
【０１１８】
ステップＳ１０１で、電子ペーパーからの人体通信が確立したかどうかを判断する。確立しなければ（ステップＳ１０１でＮＯ）、リターンする。確立すれば（ステップＳ１０１でＹＥＳ）、ステップＳ１０２で電子ペーパー情報を取得したのち、ステップＳ１０３で、書き込み開始が記憶部２１３にセットされているかどうかを判断する。セットされていれば（ステップＳ１０３でＹＥＳ）、ステップＳ１０４で、書き込み開始を電子ペーパー１００に通知した後、ステップＳ１０５に進む。書き込み開始がセットされていなければ（ステップＳ１０３でＮＯ）、そのままステップＳ１０５に進む。
【０１１９】
ステップＳ１０５では、追加データが残っているかどうかを調べ、追加データが残っていれば（ステップＳ１０５でＹＥＳ）、ステップＳ１０６で、追加データを電子ペーパー１００に送信した後、ステップＳ１０７に進む。追加データが残っていなければ（ステップＳ１０５でＮＯ）、そのままステップＳ１０７に進む。
【０１２０】
ステップＳ１０７では、電子ペーパー１００から書き込み終了が通知されたかどうかを判断し、通知された場合は（ステップＳ１０７でＹＥＳ）、書き込み終了を記憶部２１３に格納した後、リターンする。書き込み終了の通知がなければ（ステップＳ１０７でＮＯ）、そのままリターンする。
【０１２１】
図１５は、図１０に示した実施形態における電子ペーパー側で実行される通信制御処理を示すフローチャートである。
【０１２２】
ステップＳ１１１では、ユーザの人体通信カード２０１との通信が確立したかどうかを判断する。確立しなければ（ステップＳ１１１でＮＯ）、処理を終了する。通信が確立すると（ステップＳ１１１でＹＥＳ）、ステップＳ１１２で電子ペーパー情報を通知し、ステップＳ１１３で、書き込み開始が通知されたかどうかを判断する。書き込み開始が通知されると（ステップＳ１１３でＹＥＳ）、ステップＳ１１４で追加データを取得し、ステップＳ１１５で追加データを書き込む。
【０１２３】
次いで、ステップＳ１１６で、書き込みが終了したかどうかを判断する。終了しなければ（ステップＳ１１６でＮＯ）、終了するのを待つ。終了すると（ステップＳ１１６でＹＥＳ）、ステップＳ１１７で、書き込み終了を通知する。
【０１２４】
一方、ステップＳ１１３で、書き込み開始が通知されなければ（ステップＳ１１３でＮＯ）、ステップＳ１１８で、書き込み開始されたデータがあるかどうかを調べ、書き込み開始されたデータがあれば（ステップＳ１１８でＹＥＳ）、ステップＳ１１６に進み、書き込み開始されたデータがなければ（ステップＳ１１８でＮＯ）、処理を終了する。
【符号の説明】
【０１２５】
１        画像形成装置
１１      制御部
１２      データ書き込み部
１３      パネル表示部
１４      人体通信インターフェース
１５      電子ペーパー装着・挿抜状態検出部
１７      電子ペーパー格納部
１８      記憶部
１００    電子ペーパー
２０１    人体通信カード
２０２    ＲＯＭ
【図１】
2014102644.tif 000003
【図２】
2014102644.tif 000004
【図３】
2014102644.tif 000005
【図４】
2014102644.tif 000006
【図５】
2014102644.tif 000007
【図６】
2014102644.tif 000008
【図７】
2014102644.tif 000009
【図８】
2014102644.tif 000010
【図９】
2014102644.tif 000011
【図１０】
2014102644.tif 000012
【図１１】
2014102644.tif 000013
【図１２】
2014102644.tif 000014
【図１３】
2014102644.tif 000015
【図１４】
2014102644.tif 000016
【図１５】
2014102644.tif 000017